(57)【要約】【課題】輝度ムラが視認されやすくなるのを抑制することが可能な照明装置を提供する。【解決手段】この照明装置１０は、端子部３１ａが導線３２を介して互いに接続された一対の放電管３１をそれぞれ含む放電管対３０ａおよび３０ｂにより構成された光源３と、放電管３１の端子部３１ｂに導線３３を介して接続されたインバータ基板６とを備えている。そして、放電管対３０ａは、端子部３１ａがシャーシ１の一方側に位置するように配置されているとともに、放電管対３０ｂは、端子部３１ａがシャーシ１の他方側に位置するように配置され、放電管対３０ａの放電管３１および放電管対３０ｂの放電管３１は、Ｂ方向に沿って１本ずつ交互に配置されており、導線３２および３３は、それぞれ、シャーシ１の前面１ａ側および後面１ｂ側に取り出されている。【選択図】図３
2008226655.tif 000002
【特許請求の範囲】
【請求項１】
シャーシと、
前記シャーシに取り付けられ、第１端子部が第１導線を介して互いに接続された一対の直管型の放電管をそれぞれ含む第１放電管対および第２放電管対により構成された光源と、
前記放電管の第２端子部に第２導線を介して接続され、前記光源を駆動するためのインバータ基板とを備え、
前記第１放電管対は、前記放電管の第１端子部が前記シャーシの一方側に位置し、かつ、前記放電管の第２端子部が前記シャーシの一方側とは反対の他方側に位置するように配置されているとともに、前記第２放電管対は、前記放電管の第２端子部が前記シャーシの一方側に位置し、かつ、前記放電管の第１端子部が前記シャーシの一方側とは反対の他方側に位置するように配置され、
前記第１放電管対の放電管および前記第２放電管対の放電管は、前記直管型の放電管が延びる方向と交差する方向に沿って１本ずつ交互に配置されており、
前記第１導線は、前記シャーシの所定面側に取り出されているとともに、前記第２導線は、前記シャーシの所定面とは反対の面側に取り出されていることを特徴とする照明装置。
【請求項２】
前記光源は、前記シャーシの所定面側に配置されているとともに、前記インバータ基板は、前記シャーシの所定面とは反対の面側に配置されていることを特徴とする請求項１に記載の照明装置。
【請求項３】
前記インバータ基板は、前記シャーシの一方側に配置された第１インバータ基板と、前記シャーシの一方側とは反対の他方側に配置された第２インバータ基板とを含んでいることを特徴とする請求項１または２に記載の照明装置。
【請求項４】
前記放電管の第１端子部および第２端子部の各々に装着された状態で前記シャーシに取り付けられ、前記放電管を前記シャーシに対して固定するための第１保持部材および第２保持部材をさらに備え、
前記第１保持部材は、前記放電管の第１端子部に接続される前記第１導線を前記シャーシの所定面側に取り出すことが可能なように構成されているとともに、前記第２保持部材は、前記放電管の第２端子部に接続される前記第２導線を前記シャーシの所定面とは反対の面側に取り出すことが可能なように構成されていることを特徴とする請求項１〜３のいずれかに記載の照明装置。
【発明の詳細な説明】
【技術分野】
【０００１】
この発明は、照明装置に関し、特に、複数の放電管からなる光源を備えた照明装置に関する。
【背景技術】
【０００２】
従来、複数の放電管を光源として用いている照明装置が知られている。また、従来では、上記した構成において、光源としての複数の放電管の各々がＵ字状に折り曲げられている照明装置も知られている（たとえば、特許文献１参照）。この特許文献１の照明装置は、液晶表示装置（液晶テレビ）の液晶表示パネルを照射することが可能なように構成されている。すなわち、特許文献１の照明装置は、液晶表示装置に装着されるバックライト装置として用いられる。
【０００３】
図６は、上記した従来の照明装置の構造を簡略的に示した平面図である。図６を参照して、従来の照明装置１１０では、光源１０１が複数のＵ字型の放電管（冷陰極管）１０２によって構成されている。光源１０１を構成する複数のＵ字型の放電管１０２は、その直管部１０２ａが互いに平行になるように、直管部１０１ａが延びる方向と交差する方向に沿って互いに所定の間隔を隔てて配列されている。
【０００４】
また、Ｕ字型の放電管１０２の一対の先端部には、それぞれ、インバータ基板１０３に接続される端子部１０２ｂが形成されている。そして、Ｕ字型の放電管１０２は、その一対の端子部１０２ｂに接続されたインバータ基板１０３により駆動される。
【０００５】
また、複数の放電管１０２の端子部１０２ｂは、照明装置１１０の一方側の端部１１０ａに位置しているとともに、複数の放電管１０２の屈曲部１０２ｃは、照明装置１１０の一方側とは反対の他方側の端部１１０ｂに位置している。すなわち、従来の照明装置１１０では、複数の放電管１０２の端子部１０２ｂが照明装置１１０の一方側の端部１１０ａに固めて配置され、複数の放電管１０２の屈曲部１０２ｃが照明装置１１０の他方側の端部１１０ｂに固めて配置されていることになる。
【０００６】
【特許文献１】特開２００６−２７８２８９号公報
【発明の開示】
【発明が解決しようとする課題】
【０００７】
ところで、上記した従来の照明装置１１０では、点灯動作の際に、インバータ基板１０３から放電管１０２の端子部１０２ｂに電流を供給すると、その電流が徐々にリークするため、放電管１０２の屈曲部１０２ｃ側の輝度が端子部１０２ｂ側の輝度よりも低くなる。このため、従来の照明装置１１０では、複数の放電管１０２の輝度が高い領域（端子部１０２ｂ側の領域）が照明装置１１０の一方側の端部１１０ａに固まり、複数の放電管１０２の輝度が低い領域（屈曲部１０２ｃ側の領域）が照明装置１１０の他方側の端部１１０ｂに固まることになる。したがって、従来の照明装置１１０では、輝度ムラが視認されやすくなるという問題点がある。
【０００８】
この発明は、上記のような課題を解決するためになされたものであり、この発明の目的は、輝度ムラが視認されやすくなるのを抑制することが可能な照明装置を提供することである。
【課題を解決するための手段】
【０００９】
上記目的を達成するために、この発明の一の局面による照明装置は、シャーシと、シャーシに取り付けられ、第１端子部が第１導線を介して互いに接続された一対の直管型の放電管をそれぞれ含む第１放電管対および第２放電管対により構成された光源と、放電管の第２端子部に第２導線を介して接続され、光源を駆動するためのインバータ基板とを備えている。そして、第１放電管対は、放電管の第１端子部がシャーシの一方側に位置し、かつ、放電管の第２端子部がシャーシの一方側とは反対の他方側に位置するように配置されているとともに、第２放電管対は、放電管の第２端子部がシャーシの一方側に位置し、かつ、放電管の第１端子部がシャーシの一方側とは反対の他方側に位置するように配置され、第１放電管対の放電管および第２放電管対の放電管は、直管型の放電管が延びる方向と交差する方向に沿って１本ずつ交互に配置されており、第１導線は、シャーシの所定面側に取り出されているとともに、第２導線は、シャーシの所定面とは反対の面側に取り出されている。
【００１０】
なお、上記のように構成された照明装置では、放電管の第１端子部側が低圧側となるとともに、放電管の第２端子部側が高圧側となる。すなわち、放電管の第１端子部側の輝度が低くなるとともに、放電管の第２端子部側の輝度が高くなる。
【００１１】
この一の局面による照明装置では、上記のように、放電管の第１端子部（低圧側の端子部）がシャーシの一方側に位置し、かつ、放電管の第２端子部（高圧側の端子部）がシャーシの一方側とは反対の他方側に位置するように配置された第１放電管対と、放電管の第２端子部（高圧側の端子部）がシャーシの一方側に位置し、かつ、放電管の第１端子部（低圧側の端子部）がシャーシの一方側とは反対の他方側に位置するように配置された第２放電管対とにより光源を構成するとともに、第１放電管対の放電管および第２放電管対の放電管を、直管型の放電管が延びる方向と交差する方向に沿って１本ずつ交互に配置することによって、複数の放電管の輝度が低い領域（第１端子部側の領域）および輝度が高い領域（第２端子部側の領域）を分散させることができる。その結果、複数の放電管の輝度が低い領域（輝度が高い領域）が固まることに起因して、輝度ムラが視認されやすくなるという不都合が発生するのを抑制することができる。
【００１２】
この場合、一対の放電管の第１端子部を互いに接続するための第１導線を、シャーシの所定面側に取り出すとともに、放電管の第２端子部をインバータ基板に接続するための第２導線を、シャーシの所定面とは反対の面側に取り出すことによって、低圧側の第１導線が位置する領域と高圧側の第２導線が位置する領域とがシャーシにより仕切られるので、低圧側の第１導線と高圧側の第２導線とが互いに近づく（接触する）のを抑制することができる。これにより、低圧側の第１導線と高圧側の第２導線とが互いに近づく（接触する）ことに起因する漏れ電流の発生を抑制することができるので、放電管に対して安定して電流を供給することができる。その結果、放電管の輝度が低下するのを抑制することが可能となる。
【００１３】
上記一の局面による照明装置において、好ましくは、光源は、シャーシの所定面側に配置されているとともに、インバータ基板は、シャーシの所定面とは反対の面側に配置されている。このように構成すれば、シャーシの所定面側に取り出される第１導線を介して、容易に、一対の放電管の第１端子部を互いに接続することができる。また、シャーシの所定面とは反対の面側に取り出される第２導線を介して、容易に、放電管の第２端子部をインバータ基板に接続することができる。
【００１４】
上記一の局面による照明装置において、好ましくは、インバータ基板は、シャーシの一方側に配置された第１インバータ基板と、シャーシの一方側とは反対の他方側に配置された第２インバータ基板とを含んでいる。このように構成すれば、第２放電管対の放電管の第２端子部がシャーシの一方側に位置し、第１放電管対の放電管の第２端子部がシャーシの一方側とは反対の他方側に位置していたとしても、容易に、第２放電管対の放電管の第２端子部および第１放電管対の放電管の第２端子部をインバータ基板（第１インバータ基板および第２インバータ基板）に接続することができる。
【００１５】
上記一の局面による照明装置において、好ましくは、放電管の第１端子部および第２端子部の各々に装着された状態でシャーシに取り付けられ、放電管をシャーシに対して固定するための第１保持部材および第２保持部材をさらに備え、第１保持部材は、放電管の第１端子部に接続される第１導線をシャーシの所定面側に取り出すことが可能なように構成されているとともに、第２保持部材は、放電管の第２端子部に接続される第２導線をシャーシの所定面とは反対の面側に取り出すことが可能なように構成されている。このように構成すれば、放電管の第１端子部および第２端子部の各々に第１保持部材および第２保持部材が装着されていたとしても、容易に、第１導線をシャーシの所定面側に取り出すことができるとともに、第２導線をシャーシの所定面とは反対の面側に取り出すことができる。
【発明の効果】
【００１６】
以上のように、本発明によれば、輝度ムラが視認されやすくなるのを抑制することが可能な照明装置を容易に得ることができる。
【発明を実施するための最良の形態】
【００１７】
図１は、本発明の一実施形態による照明装置の構造を説明するための分解斜視図である。図２は、図１に示した一実施形態による照明装置に含まれる複数の放電管の配列を説明するための平面図である。図３〜図５は、図２に示した放電管に接続される導線の引き回しを説明するための図である。まず、図１〜図５を参照して、本実施形態による照明装置の構造について説明する。なお、本実施形態による照明装置は、大型液晶テレビのバックライトユニットとして用いられる。
【００１８】
本実施形態の照明装置１０では、図１に示すように、シャーシ１の前面（所定面）１ａ側に、反射シート２、光源３、光学シート４およびフレーム５が配置されているとともに、シャーシ１の後面（所定面とは反対の面）１ｂ側に、インバータ基板６が配置されている。以下の説明では、シャーシ１の長手方向をＡ方向と言うとともに、シャーシ１の短手方向をＢ方向と言う。また、シャーシ１の長手方向（Ａ方向）の一方側の端部を端部１ｃと言うとともに、シャーシ１の長手方向（Ａ方向）の一方側とは反対の他方側の端部を端部１ｄと言う。
【００１９】
シャーシ１は、アルミニウム板などの金属板によって構成されている。また、シャーシ１は、そのＢ方向の両端部が前側に向かって垂直に折り曲げられることによって形成された一対の側壁を有している。そして、反射シート２、光源３および光学シート４は、シャーシ１の一対の側壁間の領域に保持されている。また、シャーシ１の端部１ｃおよび１ｄには、それぞれ、後述するホルダ３４および３５が係止される係合部１ｅが形成されている。
【００２０】
反射シート２は、光を乱反射させることが可能なシート部材によって構成されているとともに、シャーシ１の前面１ａの直上に載置されている。この反射シート２を構成するシート部材は、たとえば、ＰＥＴ（ポリエチレンテレフタレート）樹脂などからなる。
【００２１】
光源３は、その後側の部分が反射シート２によって覆われるように、反射シート２の前側に配置されている。これにより、光源３で生成された光は、反射シート２によって乱反射されて前側に進行することになる。
【００２２】
また、図２に示すように、光源３は、一対の直管型の放電管（冷陰極管）３１をそれぞれ含む複数の放電管対３０によって構成されている。複数の放電管３１は、その各々がＡ方向に沿って延びるように配置されている。さらに、複数の放電管３１は、互いに平行になるように、Ｂ方向に沿って互いに所定の間隔を隔てて配列されている。また、放電管３１の両端部には、それぞれ、放電用電極（図示せず）に接続された端子部３１ａおよび３１ｂが形成されている。なお、端子部３１ａおよび３１ｂは、それぞれ、本発明の「第１端子部」および「第２端子部」の一例である。
【００２３】
また、放電管対３０に含まれる一対の放電管３１は、その端子部３１ａが導線３２を介して互いに接続され、端子部３１ｂが導線３３を介してインバータ基板６に接続されるように構成されている。すなわち、一対の放電管３１を含む放電管対３０は、擬似Ｕ字型の放電管となっている。なお、上記した一対の放電管３１を含む放電管対（擬似Ｕ字型の放電管）３０では、放電管３１の端子部３１ａ側が低圧側となるとともに、放電管３１の端子部３１ｂ側が高圧側となる。このため、放電管３１の端子部３１ａ側の輝度が低くなるとともに、放電管３１の端子部３１ｂ側の輝度が高くなる。
【００２４】
ここで、本実施形態では、複数の放電管対３０は、２つのグループに分類される。以下の説明では、２つのグループのうちの一方のグループに含まれる放電管対３０を放電管対３０ａと言うとともに、２つのグループのうちの一方のグループとは異なる他方のグループに含まれる放電管対３０を放電管対３０ｂと言う。なお、放電管対３０ａおよび３０ｂは、それぞれ、本発明の「第１放電管対」および「第２放電管対」の一例である。
【００２５】
一方のグループに含まれる放電管対３０ａは、放電管３１の端子部３１ａがシャーシ１の一方側の端部１ｃに位置し、かつ、放電管３１の端子部３１ｂがシャーシの一方側とは反対の他方側の端部１ｄに位置するように配置されている。また、他方のグループに含まれる放電管対３０ｂは、放電管３１の端子部３１ｂがシャーシ１の一方側の端部１ｃに位置し、かつ、放電管３１の端子部３１ａがシャーシ１の一方側とは反対の他方側の端部１ｄに位置するように配置されている。
【００２６】
そして、本実施形態では、放電管対３０ａの放電管３１および放電管対３０ｂの放電管３１は、Ｂ方向（直管型の放電管３１が延びる方向と交差する方向）に沿って１本ずつ交互に配置されている。すなわち、放電管対３０ａの一対の放電管３１の間に、放電管対３０ｂの放電管３１が１本配置され、放電管対３０ｂの一対の放電管３１の間に、放電管３０ａの放電管３１が１本配置されていることになる。これにより、シャーシ１の一方側の端部１ｃ（他方側の端部１ｄ）に着目すると、放電管３１の低圧側の端子部３１ａおよび高圧側の端子部３１ｂが、Ｂ方向に沿って１つずつ交互に配置された状態となっている。
【００２７】
また、図１に示すように、放電管３１の端子部３１ａおよび３１ｂ（図２参照）には、それぞれ、放電管３１をシャーシ１に固定するためのホルダ３４および３５が装着されている。このホルダ３４および３５は、たとえば、弾性変形可能な樹脂成形品などによって構成されている。なお、ホルダ３４および３５は、それぞれ、本発明の「第１保持部材」および「第２保持部材」の一例である。
【００２８】
そして、放電管３１は、その端子部３１ａおよび３１ｂ（図２参照）の各々にホルダ３４および３５が装着された状態で、ホルダ３４および３５がシャーシ１に取り付けられることによってシャーシ１に対して固定される。なお、ホルダ３４および３５のシャーシ１への取り付けは、ホルダ３４および３５をシャーシ１の係合部１ｅに係止することによって行われる。具体的には、放電管対３０ａでは、放電管３１の端子部３１ａに装着されたホルダ３４が、シャーシ１の一方側の端部１ｃに形成された係合部１ｅに係止されるとともに、放電管３１の端子部３１ｂに装着されたホルダ３５が、シャーシ１の他方側の端部１ｄに形成された係合部１ｅに係止される。その一方、放電管対３０ｂでは、放電管３１の端子部３１ｂに装着されたホルダ３５が、シャーシ１の一方側の端部１ｃに形成された係合部１ｅに係止されるとともに、放電管３１の端子部３１ａに装着されたホルダ３４が、シャーシ１の他方側の端部１ｄに形成された係合部１ｅに係止される。
【００２９】
これにより、図２に示したように、放電管対３０ａは、放電管３１の端子部３１ａがシャーシ１の一方側に位置し、かつ、放電管３１の端子部３１ｂがシャーシの一方側とは反対の他方側に位置するように配置されることになる。その一方、放電管対３０ｂは、放電管３１の端子部３１ｂがシャーシ１の一方側に位置し、かつ、放電管３１の端子部３１ａがシャーシ１の一方側とは反対の他方側に位置するように配置されることになる。
【００３０】
また、図３〜図５に示すように、本実施形態のホルダ３４および３５は、それぞれ、放電管３１の端子部３１ａおよび３１ｂに接続された導線３２および３３を外側に取り出すことが可能なように構成されている。具体的には、放電管３１の端子部３１ａに装着されるホルダ３４は、放電管３１の端子部３１ａに接続される導線３２をシャーシ１の前面（所定面）１ａ側に取り出すことが可能なように構成されている。その一方、放電管３１の端子部３１ｂに装着されるホルダ３５は、放電管３１の端子部３１ｂに接続される導線３３をシャーシ１の後面（所定面とは反対の面）１ｂ側に取り出すことが可能なように構成されている。
【００３１】
すなわち、本実施形態では、放電管３１の端子部３１ａに接続される導線３２がシャーシ１の前面１ａ側に取り出されるとともに、放電管３１の端子部３１ｂに接続される導線３３がシャーシ１の後面１ｂ側に取り出される。このため、本実施形態では、低圧側の導線３２が位置する領域と高圧側の導線３３が位置する領域とが、シャーシ１によって仕切られることになる。
【００３２】
また、図１に示すように、放電管３１の端子部３１ａおよび３１ｂ（図２参照）の前側には、それぞれ、放電管３１の端子部３１ａおよび３１ｂを覆うカバー部材３６が配置されている。このカバー部材３６は、たとえば、樹脂成形品などによって構成されている。そして、放電管３１の端子部３１ａおよび３１ｂは、カバー部材３６により前側から押え付けられることにより、前側に浮き上がらないように保持されている。
【００３３】
光学シート４は、レンズシートや拡散シートなどによって構成されているとともに、光源３の前側に配置されている。この光学シート４によって、光源３で生成された光の集光や拡散などが行われる。
【００３４】
フレーム５は、枠状に形成されているとともに、光学シート４の前側に配置されている。このフレーム５は、たとえば、金属板や樹脂成形品などによって構成されている。そして、光学シート４などは、フレーム５により前側から押え付けられることにより、前側に浮き上がらないように保持されている。また、光源３で生成された光が光学シート４を透過すると、その光は、枠状に形成されたフレーム５の開口５ａを介して外部（前側）に出射される。
【００３５】
なお、図示しないが、本実施形態の照明装置１０が大型液晶テレビに装着された状態では、フレーム５の前側に液晶表示パネルが配置される。
【００３６】
また、本実施形態では、インバータ基板６は、シャーシ１の一方側の端部１ｃに配置されるインバータ基板６ａと、シャーシ１の一方側とは反対の他方側の端部１ｄに配置されるインバータ基板６ｂとの２つに分割されている。なお、インバータ基板６ａおよび６ｂは、それぞれ、本発明の「第１インバータ基板」および「第２インバータ基板」の一例である。
【００３７】
また、図１および図２に示すように、インバータ基板６ａは、導線３３を介して、放電管対３０ｂの放電管３１の端子部３１ｂに接続されているとともに、インバータ基板６ｂは、導線３３を介して、放電管対３０ａの放電管３１の端子部３１ｂに接続されている。これにより、インバータ基板６ａによって放電管対３０ｂの放電管３１が駆動されるとともに、インバータ基板６ｂによって放電管対３０ａの放電管３１が駆動されることになる。なお、導線３３とインバータ基板６（インバータ基板６ａおよび６ｂ）との接続は、導線３３に取り付けられたコネクタ３７を介して行われる。
【００３８】
本実施形態では、上記のように、放電管３１の低圧側の端子部３１ａがシャーシ１の一方側の端部１ｃに位置し、かつ、放電管３１の高圧側の端子部３１ｂがシャーシ１の他方側の端部１ｄに位置するように配置された放電管対３０ａと、放電管３１の高圧側の端子部３１ｂがシャーシ１の一方側の端部１ｃに位置し、かつ、放電管３１の低圧側の端子部３１ａがシャーシ１の他方側の端部１ｄに位置するように配置された放電管対３０ｂとにより光源３を構成するとともに、放電管対３０ａの放電管３１および放電管対３０ｂの放電管３１を、Ｂ方向に沿って１本ずつ交互に配置することによって、複数の放電管３１の輝度が低い領域（端子部３１ａ側の領域）および輝度が高い領域（端子部３１ｂ側の領域）を分散させることができる。その結果、複数の放電管３１の輝度が低い領域（輝度が高い領域）が固まることに起因して、輝度ムラが視認されやすくなるという不都合が発生するのを抑制することができる。
【００３９】
この場合、一対の放電管３１の端子部３１ａを互いに接続するための導線３２を、シャーシ１の前面１ａ側に取り出すとともに、放電管３１の端子部３１ｂをインバータ基板６に接続するための導線３３を、シャーシ１の後面１ｂ側に取り出すことによって、低圧側の導線３２が位置する領域と高圧側の導線３３が位置する領域とがシャーシ１により仕切られるので、低圧側の導線３２と高圧側の導線３３とが互いに近づく（接触する）のを抑制することができる。これにより、低圧側の導線３２と高圧側の導線３３とが互いに近づく（接触する）ことに起因する漏れ電流の発生を抑制することができるので、放電管３１に対して安定して電流を供給することができる。その結果、放電管３１の輝度が低下するのを抑制することが可能となる。
【００４０】
また、本実施形態では、上記のように、シャーシ１の前面１ａ側に光源３を配置するとともに、シャーシ１の後面１ｂ側にインバータ基板６を配置することによって、シャーシ１の前面１ａ側に取り出される導線３２を介して、容易に、一対の放電管３１の端子部３１ａを互いに接続することができる。また、シャーシ１の後面１ｂ側に取り出される導線３３を介して、容易に、放電管３１の端子部３１ｂをインバータ基板６に接続することができる。
【００４１】
また、本実施形態では、上記のように、インバータ基板６を、シャーシ１の一方側の端部１ｃに配置されるインバータ基板６ａと、シャーシ１の他方側の端部１ｄに配置されるインバータ基板６ｂとの２つに分割することによって、放電管対３０ｂの放電管３１の端子部３１ｂがシャーシ１の一方側の端部１ｃに位置し、放電管対３０ａの放電管３１の端子部３１ｂがシャーシ１の他方側の端部１ｄに位置していたとしても、容易に、放電管対３０ｂの放電管３１の端子部３１ｂおよび放電管対３０ａの放電管３１の端子部３１ｂをインバータ基板６（インバータ基板６ａおよび６ｂ）に接続することができる。
【００４２】
また、本実施形態では、上記のように、放電管３１をシャーシ１に対して固定するためのホルダ３４を、放電管３１の端子部３１ａに接続される導線３２をシャーシ１の前面１ａ側に取り出すことが可能なように構成することによって、放電管３１の端子部３１ａにホルダ３４が装着されていたとしても、容易に、導線３２をシャーシ１の前面１ａ側に取り出すことができる。また、放電管３１をシャーシ１に対して固定するためのホルダ３５を、放電管３１の端子部３１ｂに接続される導線３３をシャーシ１の後面１ｂ側に取り出すことが可能なように構成することによって、放電管３１の端子部３１ｂにホルダ３５が装着されていたとしても、容易に、導線３３をシャーシ１の後面１ｂ側に取り出すことができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、液晶テレビに装着される照明装置に本発明を適用する例について説明したが、本発明はこれに限らず、液晶テレビ以外の装置に装着される照明装置にも適用可能である。
【図面の簡単な説明】
【００４５】
【図１】本発明の一実施形態による照明装置の構造を説明するための分解斜視図である。
【図２】図１に示した一実施形態による照明装置に含まれる複数の放電管の配列を説明するための平面図である。
【図３】図２に示した放電管に接続される導線の引き回しを説明するための図である。
【図４】図２に示した放電管に接続される導線の引き回しを説明するための図である。
【図５】図２に示した放電管に接続される導線の引き回しを説明するための図である。
【図６】従来の照明装置の構造を簡略的に示した平面図である。
【符号の説明】
【００４６】
１  シャーシ
１ａ  前面（所定面）
１ｂ  後面（所定面とは反対の面）
３  光源
６  インバータ基板
６ａ  インバータ基板（第１インバータ基板）
６ｂ  インバータ基板（第２インバータ基板）
３０  放電管対
３０ａ  放電管対（第１放電管対）
３０ｂ  放電管対（第２放電管対）
３１  放電管
３１ａ  端子部（第１端子部）
３１ｂ  端子部（第２端子部）
３２  導線（第１導線）
３３  導線（第２導線）
３４  ホルダ（第１保持部材）
３５  ホルダ（第２保持部材）
【図１】
2008226655.tif 000003
【図２】
2008226655.tif 000004
【図３】
2008226655.tif 000005
【図４】
2008226655.tif 000006
【図５】
2008226655.tif 000007
【図６】
2008226655.tif 000008